(57)【要約】【課題】  羽根の周辺部に設けるべき釘の数を犠牲にすることなく遊技の興趣性を損ねないようにして規定の導入幅を確保することができる羽根機構を備えたパチンコ遊技機を提供する。【解決手段】  パチンコ球の導入口近傍に設けられて揺動可能な羽根部材を備えたパチンコ遊技機において、前記羽根部材は、前記導入口の端方向で二分する長さを有した第１，第２の羽根部材１０２，１０３からなり、第１の羽根部材１０２は回動可能に支持され、第２の羽根部材１０３は前記導入口の幅方向に摺動可能に支持され、前記第１，第２の羽根部材１０２，１０３は、通常、該導入口へのパチンコ球の導入を阻む状態の所定位置に保持されており、この状態から、第１の羽根部材１０２が回動し、これに順じて第２の羽根部材１０３が第１の羽根部材から離間して前記導入口を開放することを特徴としている。【選択図】  図２
2006230938.tif 000002
【特許請求の範囲】
【請求項１】
パチンコ球の導入口近傍に設けられて揺動可能な羽根部材を備えたパチンコ遊技機において、
前記羽根部材は、前記導入口の端方向で二分する長さを有した第１，第２の羽根部材からなり、第１の羽根部材は回動可能に支持され、第２の羽根部材は前記導入口の幅方向に摺動可能に支持され、
前記第１，第２の羽根部材は、通常、該導入口へのパチンコ球の導入を阻む状態の所定位置に保持されており、この状態から、第１の羽根部材が回動し、これに順じて第２の羽根部材が第１の羽根部材から離間して前記導入口を開放することを特徴とするパチンコ遊技機。
【請求項２】
請求項１記載のパチンコ遊技機において、
前記羽根部材のうちで第１の羽根部材は、所定位置に対して前記導入口から外側に突出して離間する方向に揺動することを特徴とするパチンコ遊技機。
【請求項３】
請求項２記載のパチンコ遊技機において、
前記第１，第２の羽根部材が前記パチンコ球の流下方向に並置され、通常は、前記導入口を塞ぐ位置を初期位置としている場合には、該流下方向下側に第１の羽根部材を配置し、第２の羽根部材を該流下方向上側に配置し、第１の羽根部材が所定位置に対して該導入口の外側に向けて離間する方向に揺動し、第２の羽根部材が前記所定位置に対して該導入口を開放する向きに摺動することによりパチンコ球の導入が可能となる態位を設定することを特徴とするパチンコ遊技機。
【請求項４】
請求項１乃至３のうちの一つに記載のパチンコ遊技機において、
前記第１、第２の羽根部材は連動可能もしくは個別駆動が可能な構成を備えていることを特徴とするパチンコ遊技機。  
【発明の詳細な説明】
【技術分野】
【０００１】
本発明は、パチンコ遊技機に関し、さらに詳しくは、役物に用いられる羽根機構に関する。
【背景技術】
【０００２】
周知のように、パチンコ遊技においては、遊技機に装備されている遊技盤面の遊技領域に設けられている各種入賞口にパチンコ球が入賞すると、その入賞口に設定されている所定数の賞球が払出されるようになっている。
【０００３】
従来から知られているパチンコ遊技機の一つに、開閉可能な羽根ものを備えた飛行機タイプと称される第２種のパチンコ遊技機がある。
【０００４】
第２種のパチンコ遊技機は、始動入賞口内にパチンコ球が入賞すると遊技領域に設けてある中央役物に備えられている一対の羽根部材が所定回数開閉動作を行い、その間に中央役物に設けられている特別入賞口にパチンコ球が入賞すると、羽根部材が予め設定されている最大回数を限度に繰り返し開閉するようになっている（例えば、特許文献１）。なお、パチンコ遊技機には、第１種パチンコ遊技機もあり、このパチンコ遊技機では、中央役物に付設した変動表示部での表示を始動入賞口にパチンコ球が入賞した時点で変動開始しさせ、変動停止時での結果が予め設定されている結果と一致した場合に大当たり状態に相当する特別遊技状態となり、大入賞口を所定回数あるいは所定個数のパチンコ球入賞のいずれか早い時期まで開閉を繰り返して賞球を受け取れるようにしている。（例えば、特許文献２）。
【０００５】
ところで、特許文献１に開示されているようなパチンコ遊技機おいては、中央役物に備えられている羽根部材の構成として、片持ち梁状に支持されて一方端を基端としてソレノイドなどの駆動により揺動する電動役物が用いられ、通常はパチンコ球の導入口を塞いでいる状態から導入口を開放できる状態に揺動することができるようになっている。
【特許文献１】特開２００３−１０２９５７号公報（段落「００２２」欄）
【特許文献２】特開２０００−３３１５２号公報（段落「００３３」欄）
【発明の開示】
【発明が解決しようとする課題】
【０００６】
ところで、電動役物等が用いられる羽根部材は、その設置箇所によって開放幅、つまり、パチンコ球が入り込める領域の幅を規定されている。例えば、多くの賞球を得る機会を期待できる中央役物の両肩部や両側面に設けてある羽根部材の場合、さらには大入賞口を対象とした場合には５５mmの導入幅に規定されている。この導入幅は、純粋にパチンコ球が入り込める寸法であるので、例えば導入口や入賞口の上方や近傍に障害釘や覆い部材などが配置されている場合にはこれらが占める領域を除いたうえで５５mmという導入幅を設定することが必要となる。
【０００７】
このため、上方や近くに障害釘や覆い部材が存在しているような場合を対象とした場合、中央役物に設けられている羽根部材の長さはこれら覆い部材などの長さを含めたて５５mmをもつ長さとなり、回動半径も大きくなる。
【０００８】
しかし、近年、表示内容の多様性に応じて表示部のサイズが大きくなる傾向にあり、このため、表示部近傍に位置する中央役物に設けられているパチンコ球の導入口と遊技盤に設けられているレール部材との間あるいは表示部近傍に配置されたゲート部材などとの間のスペースが減少する傾向にある。
【０００９】
このような現状から、例えば、中央役物の導入口に設けられている片持ち梁状の羽根部材の揺動量を確保して規定の導入幅を設定しようとすると、羽根部材の近傍に配置される導入釘や障害釘の設置スペースを確保することが困難となることがある。
【００１０】
従って、導入釘や障害釘の数を犠牲にして羽根の揺動範囲をパチンコ球の導入幅に見合うように位置決めしなければならず、結果として導入釘や障害釘の存在により醸し出される遊技の妙味性が損なわれてしまうことになる。
【００１１】
本発明の目的は、上記従来のパチンコ遊技機、パチンコ球の導入口に羽根機構を設けた場合の問題に鑑み、羽根の周辺部に設けるべき釘の数を犠牲にすることなく遊技の興趣性を損ねないようにして規定の導入幅を確保することができる羽根機構を備えたパチンコ遊技機を提供することにある。
【課題を解決するための手段】
【００１２】
本発明は、パチンコ球の導入口に装備されている開閉自在の羽根部材を導入口に跨る状態で一対に設け、それら分割された羽根部材が導入口から外側に向けて張り出す領域を小さくすることを特徴としている。
【００１３】
特に請求項１記載の発明は、パチンコ球の導入口近傍に設けられて揺動可能な羽根部材を備えたパチンコ遊技機において、前記羽根部材は、前記導入口の端方向で二分する長さを有した第１，第２の羽根部材からなり、第１の羽根部材は回動可能に支持され、第２の羽根部材は前記導入口の幅方向に摺動可能に支持され、
前記第１，第２の羽根部材は、通常、該導入口へのパチンコ球の導入を阻む状態の所定位置に保持されており、この状態から、第１の羽根部材が回動し、これに順じて第２の羽根部材が第１の羽根部材から離間して前記導入口を開放することを特徴としている。
【００１４】
請求項２記載の発明は、請求項１記載のパチンコ遊技機において、前記羽根部材のうちで第１の羽根部材は、所定位置に対して前記導入口から外側に突出して離間する方向に揺動することを特徴としている。
【００１５】
請求項３記載の発明は、請求項２記載のパチンコ遊技機において、前記第１，第２の羽根部材が前記パチンコ球の流下方向に並置され、通常は、前記導入口を塞ぐ位置を初期位置としている場合には、該流下方向下側に第１の羽根部材を配置し、第２の羽根部材を該流下方向上側に配置し、第１の羽根部材が所定位置に対して該導入口の外側に向けて離間する方向に揺動し、第２の羽根部材が前記所定位置に対して該導入口を開放する向きに摺動することによりパチンコ球の導入が可能となる態位を設定することを特徴としている。
【００１６】
請求項４記載の発明は、請求項１乃至３のうちの一つに記載のパチンコ遊技機において、前記第１、第２の羽根部材は連動可能もしくは個別駆動が可能な構成を備えていることを特徴としている。
【発明の効果】
【００１７】
請求項１および２記載の発明によれば、パチンコ球の導入口の幅方向で二分するように第１，第２の羽根部材を設け、第１の羽根部材が導入口から外側に張り出すように回動するので、第一の羽根部材を回動させる場合と違って回動半径を小さくすることができる。これにより、釘や覆い部材などを設置できなかった範囲を少なくすることができる。
【００１８】
しかも第２の羽根部材が第１の羽根部材の回動に順じて第１の羽根部材から離間する方向に摺動することにより導入口でのパチンコ球の導入幅を規定の寸法に設定することができる。特に、第１の羽根部材と第２の羽根部材とは異なる運動形態であるので、例えば、摺動のみを用いた場合のようなパチンコ球の挟み込みなどの障害を防止することが可能となる。
【００１９】
請求項３記載の発明によれば、回動して導入口の外側に突出する方向に揺動する第１の羽根部材がパチンコ球の流下方向下側に配置されることにより、流下してくるパチンコ球を受け入れやすくできることにより入賞の期待性を高めることが可能となる。
【００２０】
請求項４記載の発明によれば、第１，第２の羽根部材が連動あるいは個別に駆動可能であるので、駆動機構の簡略化や駆動形態の独自性を得ることが可能となる。
【発明を実施するための最良の形態】
【００２１】
以下、図に示す実施例により本発明を実施するための最良の形態について説明する。
【実施例】
【００２２】
図１は、本実施例によるパチンコ遊技機を示す図である。
【００２３】
図１に示すパチンコ遊技機は、羽根部材を用いた飛行機タイプと称される第２種に相当するものを対象として示してある。
【００２４】
図１においてパチンコ遊技機１００は、外郭方形枠サイズに形成されて縦長の固定保持枠１を構成する外枠１の開口前面に、外枠１に合わせて方形枠サイズに形成された開閉搭載用の前枠２を備えている。
【００２５】
前枠２は、遊技者が対面する側である遊技機前面において外枠１の正面左側上下に取り付けられたヒンジ金具３Ａ、３Ｂにより外枠１に対して開閉可能に取り付けられ、さらに、外枠１の正面右側に設けられた施錠装置４によって閉鎖状態に保持されるようになっている。  
前枠２の上部領域には、遊技盤３が配置されており、遊技盤３は、所定板厚の積層合板の裏側にセルを貼り付けてルーター（役物取り付け孔）加工した化粧板を基板とし、その前面側には図示しないが、環状に取り付けられたガイドレールに囲まれて略円形状の遊技領域６が設けられている。
【００２６】
遊技領域６には、略中央部に表示装置が設置される窓部で構成された表示部６ａが設けられている。
【００２７】
表示部６ａの周りには電動チューリップ６ｂおよび多数の導釘さらにはアウト玉を回収するアウト口６ｃ等が配置されており、役物に入賞せずに落下したアウト玉はアウト口６ｃに回収されると遊技盤３の背面側から機外に排出できるよういなっている。
【００２８】
また、前枠２の前面上部側には、遊技盤３を視認できるように透明な柄図板を備えた前扉７が水平方向に開閉可能かつ着脱可能に設けられ、通常は、施錠装置４により閉鎖状態に保持されて遊技盤３の前面を覆っている。
【００２９】
前枠２の前面下部側で前扉７の下方には、玉受け皿を構成している一体皿８が、前枠２に開閉自在に支持されている背面板（図示されず）に取り付けられて設けてあり、一体皿８は、図示しない施錠装置により通常、閉鎖状態に保持されている。
【００３０】
一体皿８には、パチンコ球が存在する皿部だけでなく、皿部の正面右側下部に発射ハンドル９が、そして、正面左側下部に灰皿１０等が設けられている。
【００３１】
遊技領域６に設けられている表示部６ａは、遊技盤３に取り付けられた中央役物（便宜上、二点鎖線で示す）１０１に装備されており、中央役物１０１には、その側面の一方に設けられているパチンコ球の導入口（図示されず）近傍にこれを開閉するための第１，第２の羽根部材１０２，１０３が設けられている。
【００３２】
図２は、羽根部材の構成を示す模式図であり、同図において第１，第２の羽根部材１０２，１０３は、導入口を幅（図２中、符号Ｌで示す）で二分するように一対で設けられており、第１の羽根部材１０２は、導入口の幅方向一端側に配置された支軸１０２Ａが揺動支点とされている。
【００３３】
第２の羽根部材１０３は、導入口を横断する方向、つまり、導入口へのパチンコ球の入賞を阻止する状態にある第１の羽根部材の揺動端に対して接離することができる方向に摺動可能に設けられている。
【００３４】
第１，第２の羽根部材１０２，１０３は、連動あるいは個別に駆動される構成が選択できるようになっている。
【００３５】
今、個別駆動の場合を説明すると、第１の羽根部材１０２は、支軸１０２Ａがロータリーソレノイド（図示されず）により駆動されるようになっており、導入口へのパチンコ球の入賞を阻止する位置が所定位置とされ、この所定位置に対してロータリーソレノイドの励磁駆動により導入口の外側に向けて突出する方向に回動できるようになっている。
【００３６】
第２の羽根部材１０３は、第１の羽根部材１０２と対向する先端と反対側の端部側と遊技盤３側との間に配置されたバネなどの弾性部材１０４が取り付けられており、通常、導入口を開放する向きの移動習性が付与されている。
【００３７】
第２の羽根部材１０３には、弾性部材１０４の付勢に抗して導入口へのパチンコ球の入賞を阻止する位置に向けて移動させるための駆動部材１０５が設けられており、駆動部材１０５はソレノイドで構成され、ソレノイドのプランジャが第２の羽根部材１０３の端部に押し当てられて押し動かされることにより第２の羽根部材１０３が導入口へのパチンコ球の入賞を阻止する所定位置に保持されている。
【００３８】
第２の羽根部材１０３が第１の羽根部材１０２から離間する方向に摺動する際には、駆動部材１０４であるソレノイドが励磁される。これによりプランジャがソレノイド側に引き動かされることにより第１の羽根部材１０２から離間する方向に第２の羽根部材１０３が摺動し、導入口へのパチンコ球の入賞を可能にする。
【００３９】
第１，第２の羽根部材１０２，１０３が連動する構成としては、図示しないが、第１の羽根部材１０２の支軸１０２Ａにリンク部材などの揺動半径を有する部材を一体化し、その揺動端にワイヤの一端を結合し、第２の羽根部材１０３側には遊技盤３側に設けられた滑車を迂回させたワイヤの他端を結合させる構成がある。なお、第２の羽根部材１０３に設けられている弾性部材１０４はそのまま設けてあることが前提である。
【００４０】
このような構成においては、第１の羽根部材１０２の回動に順じてワイヤが牽引されると、第２の羽根部材１０３が引き動かされて第１の羽根部材１０２から離間することができる。
【００４１】
第１の羽根部材１０２は、ロータリーソレノイドの初期態位により、図２において実線で示すように、導入口へのパチンコ球の投入を阻止する所定位置に位置決めされており、ロータリーソレノイドの駆動により、導入口の外側に向けて突出、いわゆる張り出す方向に揺動する。
【００４２】
第２の羽根部材１０３は、図２において実線で示す所定位置に対して、二点鎖線で示すように第１の羽根部材１０２から離間する方向に摺動することにより導入口へのパチンコ球の入賞を許容する態位が設定される、
第１，第２の羽根部材１０２，１０３の所定位置からの変位時期としては、例えば、始動入賞口６ｂにパチンコ球が入賞した場合の他に、始動入賞口だけでなく通常の入賞口への入賞回数が規定に達した時などのように、始動入賞口への入賞率が低い状態が継続されたような場合に遊技者が遊技に飽きそうな条件がそろった場合などが選択される。
【００４３】
本実施例は以上のような構成であるから、第１，第２の羽根部材１０２，１０３は、第１，第２の羽根部材１０２，１０３に対する駆動部材あるいは一方の駆動部材が初期態位にある時にはパチンコ球の導入口へのパチンコ球の入賞を阻む状態に維持される。
【００４４】
一方、第１，第２の羽根部材１０２，１０３に対する駆動部材あるいは一方の駆動部材が初期態位から駆動されると、第１の羽根部材１０２は、支軸１０２Ａを回転中心として回動し、第２の羽根部材１０３はこれに順じて第１の羽根部材１０２から離間する方向に摺動し、これら第１，第２の羽根部材１０２，１０３が互いに離れることで導入口へのパチンコ球の入賞を許容する状態となる。
【００４５】
第１，第２の羽根部材１０２，１０３は、導入口を幅方向で二分しており、特に導入口の外側に向けて張り出す側に位置する第１の羽根部材１０２に関していうと、図２（Ｂ）に示すように、片持ち梁状に設けられて揺動する従来の羽根部材（便宜上、符号１０２’で示す）の回動半径に比べて、導入口の外側に向けて突出する範囲での回動半径が小さくなる（便宜上、符号Ｐ、Ｐ’で示す）。しかも、羽根部材同士が回動及び摺動することにより導入口が開放されると、羽根部材により二分された状態で塞がれていた導入口でのパチンコ球の導入幅（図２中、符号Ｓで示す領域幅）も確保することができる。
【００４６】
これにより、図２（Ｂ）に示した従来の羽根部材１０２’においては導入口の近傍において回動半径の領域Ｐ’内に配置できなかった覆い部材や誘導釘や障害釘Ｋの打ち込み領域（図２（Ａ）において符号Ｐ０で示す）が確保できる。このため、覆い部材や誘導釘や障害釘の存在により遊技の興趣性を損なわないようにすることができる。
【００４７】
一方、第１，第２の羽根部材１０２，１０３のうちで、パチンコ球の流下方向に沿って下側に位置する第１の羽根部材１０２が導入口の外側に向けて突出する方向に回動する構成であるので、流下するパチンコ球を受け入れやすくすることができ、これによっても入賞への期待度を高めることが可能となる。しかも、互いに摺動する構成ではないので、互いに接近する方向に修道した場合に起こる虞があるパチンコ球の挟み込みを防止することができる。
【００４８】
上記実施例では、羽根部材１０２が導入口の幅を二分することが条件となっておりその長さに関しては言及していないが、双方での長さを異ならせて回動半径をお互いに異ならせることにより、例えば、流下方向下側に位置する羽根部材１０２の方を長さよりも第２の羽根部材１０３の長さを長くした場合には、第１の羽根部材１０２の回動半径をより小さくすることができ、その周辺部への釘や覆い部材の世知スペースを拡大することができる。
【００４９】
上記実施例では、羽根部材として中央役物に設けられているもの、つまり、パチンコ球の流下方向に設けられている羽根部材を対象としてあげたが、本発明では、これに限らず、始動入賞口や大入賞口等のように、水平方向に沿って設けられる両開き形式の羽根部材を対象とすることも可能である。また、第１，第２種のパチンコ遊技機においてパチンコ球の流下方向に沿って配置される羽根部材のいずれをも対象とすることも可能である。
【図面の簡単な説明】
【００５０】
【図１】本発明実施例によるパチンコ遊技機の正面図である。
【図２】本発明実施例によるパチンコ遊技機に用いられる要部構成を説明するための図であり、（Ａ）は、本実施例に用いられる羽根部材を、（Ｂ）は従来構造に用いられる羽根部材をそれぞれ示している。
【符号の説明】
【００５１】
１００            パチンコ遊技機  
１０１            中央役物
１０２            第１の羽根部材
１０２Ａ          支軸
１０３            第２の羽根部材
１０４            弾性部材
Ｐ、Ｐ’          回動半径
ｋ        誘導釘、障害釘
【図１】
2006230938.tif 000003
【図２】
2006230938.tif 000004